(57)【要約】【課題】  エスカレータのステップを構成するクリートおよび／またはライザに広告等の表示体を形成して、広告等の表示機能を果たすことができるようにする。【解決手段】  エスカレータ１のクリート５および／またはライザ６の所定の各突条部７の各両側壁面７ａ・７ｂおよび９ａ・９ｂ、またはいずれか一方側の各側壁面に、文字、図形または記号、あるいはこれらの組合せより成る広告等表示１５を印刷したシールを左右方向に細分割して小シール片１６として貼着して貼着表示体１７とする。【選択図】図４
2006056667.tif 000002
【特許請求の範囲】
【請求項１】
クリートおよび／またはライザの所定の各突条部の各両側壁面、またはいずれか一方側の各側壁面に、文字、図形または記号、あるいはこれらの組合せより成る広告等表示を印刷したシールを、左右方向に細分割して小シール片として貼着して貼着表示体とした広告等の表示体を備えたエスカレータ。
【請求項２】
クリートおよび／またはライザの所定の各突条部の各両側壁面、またはいずれか一方側の各側壁面に、文字、図形または記号、あるいはこれらの組合せより成る広告等表示を、左右方向に細分割して塗料で塗布表示して塗布表示体とした広告等の表示体を備えたエスカレータ。
【請求項３】
クリートおよび／またはライザの所定の各突条部の各表面に、文字、図形または記号、あるいはこれらの組合せより成る広告等表示を、左右方向に細分割して凹凸模様に切削して切削表示体とした広告等の表示体を備えたエスカレータ。
【請求項４】
ライザの所定の各突条部の各表面と各両側壁面、または、いずれか一方の側壁面と表面、あるいは、各表面に、文字、図形または記号、あるいはこれらの組合せより成る広告等表示を印刷したシールを、左右方向に細分割して小シール片として貼着して貼着表示体とした広告等の表示体を備えたエスカレータ。
【請求項５】
ライザの所定の各突条部の各表面と各両側壁面、または、いずれか一方の側壁面と表面、あるいは、各表面に、文字、図形または記号、あるいはこれらの組合せより成る広告等表示を、左右方向に細分割して塗料で塗布表示して塗布表示体とした広告等の表示体を備えたエスカレータ。
【発明の詳細な説明】
【技術分野】
【０００１】
本発明は、エスカレータのクリートおよび／またはライザに、広告等の表示体を備えたエスカレータに関するものである。
【背景技術】
【０００２】
従来、エスカレータのクリートおよび／またはライザに、広告等の表示体を備えたエスカレータは、存在していない。また、エスカレータのクリートおよび／またはライザに、広告等の表示体を備えたエスカレータにつき、過去の特許文献を遡及検索すると、下記の２件の特許文献が公知である。
【０００３】
【特許文献１】実開昭６１−１７１７８８号公報
【特許文献２】特開平９−１５６８５９号公報
【発明の開示】
【発明が解決しようとする課題】
【０００４】
また、前記特許文献１に開示されたものは、クリートおよびライザの櫛目状底部に、文字、図柄、記号等の表示を左右方向に細分割した表示片をそれぞれ対応させて設けた表示機能付きエスカレータである。しかしながら、前記特許文献１に開示された表示機能付きエスカレータは、クリートおよびライザの櫛目状底部に表示片が設けられているが、該櫛目状底部には、油やほこりが溜まるので、前記表示が油やほこりで被覆されて広告等の表示機能を充分に果たすことができないという課題があった。
【０００５】
また、前記特許文献２に開示されたものは、ライザの凹溝底部に、該凹溝に沿って端部クリートからライザの下端部にかけて表示体を配設し、更に該表示体の上端を前記端部クリートによって、前記クリートの後端部に固設する一方、該表示体の下端を前記ライザの下端部に圧着体により固設したエスカレータのステップである。しかしながら、前記特許文献２に開示されたエスカレータのステップは、前記特許文献１と同様に、ライザの凹溝底部には油やほこりが溜まるので、前記表示が油やほこりで被覆されて表示としての機能を充分に果たすことができないという課題があった。
【０００６】
本発明は、前記課題を解決すべくなされたもので、クリートおよび／またはライザの所定の各突条部の各両側壁面、またはいずれか一方側の各側壁面、あるいは各表面と各両側壁面、そしてまたいずれか一方の側壁面と表面、そして更に各表面に、文字、図形または記号、あるいはこれらの組合せより成る広告等の表示（以下、広告等表示という）を印刷したシールを、左右方向に細分割して小シール片として貼着して貼着表示体とするか、あるいは広告等表示を左右方向に細分割して塗料で塗布表示して塗布表示体とし、また更に、クリートおよび／またはライザの所定の各突条部の上面に、広告等表示を細分割して凹凸模様に切削して切削表示体とすることにより、クリートおよび／またはライザの溝底部に、油やほこりが付着しても、所定の各突条部の各側壁面、または各表面への広告等表示の貼着表示体、または塗布表示体が油やほこりで被覆されることがなく、表示機能を充分果たすことができ、また所定の各突条部には、ほとんど油やほこり等が付着することがなく、前記各突条部の凹凸模様による切削表示体も、表示機能を充分果たすことができる広告等の表示体を備えたエスカレータを提供しようとするものである。
【課題を解決するための手段】
【０００７】
本発明は、クリートおよび／またはライザの所定の各突条部の各両側壁面、またはいずれか一方側の各側壁面に、文字、図形または記号、あるいはこれらの組合せより成る広告等表示を印刷したシールを、左右方向に細分割して小シール片として貼着して貼着表示体とするという手段、
クリートおよび／またはライザの所定の各突条部の各両側壁面、またはいずれか一方側の各側壁面に、文字、図形または記号、あるいはこれらの組合せより成る広告等表示を、左右方向に細分割して塗料で塗布表示して塗布表示体とするという手段、
クリートおよび／またはライザの所定の各突条部の各表面に、文字、図形または記号、あるいはこれらの組合せより成る広告等表示を、左右方向に細分割して凹凸模様に切削して切削表示体とするという手段、
ライザの所定の各突条部の各表面と各両側壁面、または、いずれか一方の側壁面と表面、あるいは各表面に、文字、図形または記号、あるいはこれらの組合せより成る広告等表示を印刷したシールを、左右方向に細分割して小シール片として貼着して貼着表示体とするという手段、
ライザの所定の各突条部の各表面と各両側壁面、または、いずれか一方の側壁面と表面、あるいは各表面に、文字、図形または記号、あるいはこれらの組合せより成る広告等表示を、左右方向に細分割して塗料で塗布表示して塗布表示体とした広告等の表示体とするという手段、
のいずれかを採用することにより、上記課題を解決した。
【発明の効果】
【０００８】
本発明は、クリートおよび／またはライザの溝底部に、油やほこりが付着しても、所定の各突条部への広告等表示の貼着表示体、または塗布表示体が油やほこりで被覆されることがなく、広告等の表示機能を充分果たすことができ、更に、所定の各突条部には、ほとんど油やほこり等が付着することがなく、該各突条部の凹凸模様による切削表示体も、広告等の表示機能を充分果たすことができる。
【発明を実施するための最良の形態】
【０００９】
本発明を図面に基づいて詳細に説明する。図１は、エスカレータ１の上方部の乗降口２付近を示した斜視図であり、無端状に連結された複数個のステップ３と階段チェーン４が回転し、ステップ３を構成するクリート５とライザ６が順々に出てくる方向に運転されるものである。以下、本発明においては説明の都合上、エスカレータ１が上昇しているものとして説明する。
【００１０】
前記クリート５は、前後方向に多数の突条部７と、該各突条部７間に凹溝部８とをそれぞれ同一間隔で設けて凹凸状に形成され、且つ前記ライザ６は、上下方向に多数の突条部９と、該突条部９間に凹溝部１０とをそれぞれ同一間隔で設けて凹凸状に形成されると共に、前記クリート５の各突条部７および各凹溝部８の後端部に、前記ライザ６の各凹溝部１０および各突条部９の上端部がそれぞれ臨むようにして、該クリート５およびライザ６を連結固定して断面「フ」の字状のステップ３が形成されている。そして、前記ステップ３を複数個無端状に連結してエスカレータ１が形成される。なお、該エスカレータ１の上・下方部の乗降口２には、クリート５上のごみを除去するためのくし状突起１１を備えたコム１２が設置されている。
【００１１】
前記エスカレータ１の上昇時に、図１・図２に示すように、上段に位置するステップ３ａのライザ６の各突条部９間において、下段に位置して徐々に上昇して来るステップ３ｂのクリート５の各突条部７が、前記上段に位置するステップ３ａのライザ６の各突条部９および各凹溝部１０に摺接することなく、前記突条部９間に装入されて、徐々にステップ３が上昇するという動作を繰返すことにより、エスカレータ１が上昇する。
【００１２】
そして、図３に示すように、最上段の乗降口２に達したステップ３のクリート５の各突条部７間に、コム１２のくし状突起１１が摺接することなく装入されて、前記クリート５上にごみがあった場合、該ごみをクリート５上から排除するよう構成されている。
【００１３】
本発明は、前記図２に示すように、下段に位置するステップ３ｂのクリート５の各突条部７の両側壁面７ａ・７ｂおよび表面７ｃが、上段に位置するステップ３ａのライザ６の各突条部９の両側壁面９ａ・９ｂ、および各凹溝部１０の底壁１０ａに摺接することなく、前記クリート５の各突条部７と、前記ライザ６の各突条部９の両側壁面９ａ・９ｂおよび各凹溝部１０の底壁１０ａ間に隙間１３を有して装入される点、および、図３に示すように、コム１２のくし状突起１１の両側壁面１１ａ・１１ｂおよび基端部１１ｃが、クリート５の各突条部７の両側壁面７ａ・７ｂおよび表面７ｃに摺接することなく、前記コム１２のくし状突起１１と、前記クリート５の各突条部７の両側壁面７ａ・７ｂおよび凹溝部８の底壁８ａ間に、隙間１４を有して装入される点に鑑み発明されたものである。
【００１４】
すなわち、本発明は、クリートおよび／またはライザの複数本の突条部のうち、所定の各突条部の各両側壁面、または一方側壁面、あるいは表面に、貼着表示体、または塗布表示体とした広告等の表示体を備えたエスカレータ、あるいは所定の各突条部の表面に切削表示体とした広告等の表示体を備えたエスカレータである。
【実施例１】
【００１５】
図４は、本発明の実施例１を示す左斜め方向から見た斜視図、図５は、同右斜め方向から見た斜視図、図６は、同上段に位置するステップのライザと、下段に位置するステップのクリートとの関係を示す横断面図である。すなわち、本発明の実施例１は、クリート５の所定の各突条部７の両側壁面７ａ・７ｂ、およびライザ６の所定の各突条部９の両側壁面９ａ・９ｂ用として、文字・図形・記号、またはこれらの組合せ表示が同一の広告等表示１５(図７においては、広告等表示１５が平面的に表示されている)を各２組ずつ印刷し、且つ裏面に粘着剤層Ｐを備えたシールＳを、前記クリート５およびライザ６の所定の各突条部７・９の各両側壁面７ａ・７ｂおよび９ａ・９ｂの高さに合わせて、それぞれ左右方向に細分割して複数枚の小シール片１６とすると共に、該各文字・図形・記号、またはこれらの組合せ表示が同一の各２組の複数枚の小シール片１６を、前記所定の各突条部７・９の両側壁面７ａ・７ｂおよび９ａ・９ｂに、それぞれ背中合わせに貼着固定して貼着表示体１７がそれぞれ形成されている。
【００１６】
本発明の実施例１においては、クリート５の所定の各突条部７の各両側壁面７ａ・７ｂ、およびライザ６の所定の各突条部９の各両側壁面９ａ・９ｂに、同一の広告等表示１５を前記クリート５およびライザ６用として各２組ずつ印刷したシールＳを、前記各両側壁面７ａ・７ｂおよび９ａ・９ｂの高さに合わせてそれぞれ左右方向に細分割して、各２組の複数枚の小シール片１６として貼着固定して貼着表示体１７が形成されているので、下段部のステップ３ｂに乗った人が、上段部のステップ３ａのクリート５およびライザ６を左・右いずれかの斜め方向から目視した場合、貼着表示体１７を構成する広告等表示１５が分割表示されているが、前記各突条部７・９間の間隔が狭いので、前記貼着表示体１７は連続的な表示として視認できると共に、クリート５およびライザ６用として各２組ずつ印刷された広告等表示１５は、文字・図形・記号、またはこれらの組合せ表示が同一であり、各組ごと各突条部７・９の各両側壁面７ａ・７ｂおよび９ａ・９ｂに背中合わせに貼着されているので、左右いずれの方向から見てもその表示内容を明確に認識することができる。
【００１７】
また、前記したように、貼着表示体１７を構成する広告等表示１５が分割されて視認されるので、下段部のステップ３ｂに乗った人は、前記上段部のステップ３ａの貼着表示体１７の表示内容が何を表示しているのか、興味を持って注視するため、一般の平面的表示に比して、該貼着表示体１７の表示効果（例えば、広告の場合、広告効果）を上げることができる。
【００１８】
なお、実施例１を示す図４〜図６においては、文字、図形、記号、またはこれらの組合せ表示が同一の広告等表示１５により形成された各２組の貼着表示体１７を、クリート５およびライザ６の両方に貼着固定する場合について述べた。そして、図示してはいないが、文字、図形、記号、またはこれらの組合せ表示が同一の広告等表示１５により形成された２組の貼着表示体１７を、クリート５またはライザ６のいずれかに貼着固定してもよい。そして、この場合における貼着表示体１７の貼着固定方法は、実施例１を示す図４〜図６において述べたものがそのまま適用されるので、説明を省略する。
【００１９】
更に、図８・図９は実施例１の変形である。すなわち、図４〜図６に示すように、文字、図形、記号、またはこれらの組合せ表示が同一の広告等表示１５を、クリート５またはライザ６用として各２組ずつ印刷するのではなく、図８・図９に示すように、各１組ずつ印刷されたシールＳを、それぞれ左右方向に細分割して複数枚の小シール片１６とすると共に、該各小シール片１６を所定の各突条部７・９の各両側壁面７ａ・７ｂおよび９ａ・９ｂのうち、いずれか一方側の側壁面(図８・図９においては、左側壁面７ａ・９ａに貼着固定されている)に貼着固定して、貼着表示体１７としてもよい。
【００２０】
前記所定の各突条部７・９のいずれか一方側の各側壁面に小シール片１６を貼着固定した場合、下段部のステップ３ｂに乗った人は、他方側斜め方向からは、上段部のステップ３ａの貼着表示体１７を視認することができない。しかしながら、下段部のステップ３ｂに乗った人は、一方側からは見えるのに対し、他方側からは見えないとして、逆に興味をそそられて、前記上段部のステップ３ａの貼着表示体１７を凝視するので、広告効果は図４〜図６に示すものに比して遜色ない。そして、この場合における貼着表示体１７の貼着固定方法は、実施例１に述べたものがそのまま適用されるので、説明を省略する。
【実施例２】
【００２１】
図１０は、本発明の実施例２を示す左斜め方向から見た斜視図、図１１は、同右斜め方向から見た斜視図、図１２は、同上段に位置するステップのライザと、下段に位置するステップのクリートとの関係を示す横断面図である。すなわち、本発明の実施例２は、クリート５およびライザ６の所定の各突条部７・９の各左側壁面７ａ・９ａと各右側壁面７ｂ・９ｂ用として、それぞれ異なった広告等表示２１ａ・２１ｂ(図１３においては、広告等表示２１ａ・２１ｂが平面的に表示されている)を印刷し、且つ裏面に粘着剤層Ｐを備えた２組のシールＳを、それぞれ前記各側壁面７ａ・７ｂ・９ａ・９ｂの高さに合わせて左右方向に細分割して、２組の複数枚の小シール片２２ａ・２２ｂとして、一方の組の小シール片２２ａを前記各左側壁面７ａ・９ａにそれぞれ貼着固定し、且つ他方の組の小シール片２２ｂを前記各右側壁面７ｂ・９ｂにそれぞれ貼着固定して２組の貼着表示体２３ａ・２３ｂが形成されている。
【００２２】
本発明の実施例２においては、下段部のステップ３ｂに乗った人が、上段部に位置するステップ３ａのクリート５およびライザ６を、左斜め方向または右斜め方向から目視した場合、左側、または右側の貼着表示体２３ａ・２３ｂの表示内容が分割されているが、前記各突条部７・９間の間隔が狭いので、前記貼着表示体２３ａ・２３ｂは連続的な表示として視認でき、該貼着表示体２３ａ・２３ｂの表示内容を明確に認識することができる。
【００２３】
また、前記したように、実施例２においては、それぞれ異なった２組の貼着表示体２３ａ・２３ｂを構成する広告等表示２１ａ・２１ｂが細分割されて、一方の組の複数枚の小シール片２２ａを前記各左側壁面７ａ・９ａに貼着固定し、且つ他方の組の複数枚の小シール片２２ｂを前記各右側壁面７ｂ・９ｂに貼着固定しているため、下段部のステップ３ｂに乗った人は、前記上段部のステップ３ａの広告等表示２１ａ・２１ｂの表示内容が何を表示しているのか、興味を持って、下段部のステップ３ｂに乗っている位置をずらしたりして注視するため、一般の平面的表示に比して、該貼着表示体２３ａ・２３ｂの表示効果（例えば、広告の場合、広告効果）を上げることができる。
【００２４】
なお、実施例２においては、貼着表示体２３ａ・２３ｂをクリート５およびライザ６の両方に形成する場合について述べたが、クリート５またはライザ６のいずれかに形成してもよい。そして、この場合における貼着表示体２３ａ・２３ｂの形成方法は、実施例２に述べたものがそのまま適用されるので、説明を省略する。
【実施例３】
【００２５】
図１４は、本発明の実施例３を示す左斜め方向から見た斜視図、図１５は、同右斜め方向から見た斜視図、図１６は、同上段に位置するステップのライザと、下段に位置するステップのクリートとの関係を示す横断面図である。すなわち、本発明の実施例３は、クリート５の所定の各突条部７の各両側壁面７ａ・７ｂ、およびライザ６の所定の各突条部９の各両側壁面９ａ・９ｂ用として、文字、図形、記号、またはこれらの組合せ表示が同一の２組の広告等表示３１(図１７においては、広告等表示が平面的に表示されている)を、前記両側壁面７ａ・７ｂおよび９ａ・９ｂの高さに合せて左右方向に細分割するような形で、各２組の複数個の小表示体３２として、前記両側壁面７ａ・７ｂおよび９ａ・９ｂに、該各小表示体３２をペンキ・エナメル等の塗料で、それぞれ背中合わせに塗布表示した塗布表示体３３が形成されている。
【００２６】
前記本発明の実施例３におけるクリート５およびライザ６の所定の各突条部７・９の両側壁面７ａ・７ｂおよび９ａ・９ｂに、同一の広告等表示３１の表示内容を左右方向に細分割して、背中合わせに塗料で塗布表示した塗布表示体３３の作用および効果は、前記実施例１と同一であるので説明を省略する。なお、実施例３においては、塗布表示体３３をクリート５およびライザ６の両方に形成する場合について述べたが、クリート５またはライザ６のいずれかに形成してもよい。そして、この場合における塗布表示体３３の形成方法は、実施例３に述べたものがそのまま適用されるので、説明を省略する。
【００２７】
更に、図１８・図１９は実施例３の変形である。すなわち、図１４〜図１６に示すように、文字、図形、記号、またはこれらの組合せ表示が同一の広告等表示３１が、クリート５またはライザ６用として各２組ずつ塗料で塗布表示されるのではなく、図１８・図１９に示すように、同一の広告等表示３１を、左右方向に細分割するような形で、複数個の小表示体３２として、それぞれ所定の各突条部７・９の各両側壁面７ａ・７ｂおよび９ａ・９ｂのうち、いずれか一方側の各側壁面(図１８・図１９においては、左側壁面７ａ・９ａに塗布表示されている)に、該各小表示体３２を塗料で塗布して表示した塗布表示体３３としてもよい。
【００２８】
前記所定の各突条部７・９のいずれか一方側の各側壁面に塗布表示体３３を形成した場合、下段部のステップ３ｂに乗った人は、他方側斜め方向からは上段部のステップ３ａの塗布表示体３３を視認することができない。しかしながら、下段部のステップ３ｂに乗った人は、一方側からは見えるのに対し、他方側からは見えないとして、逆に興味をそそられて、前記下段部のステップ３ｂの塗布表示体３３を凝視するので、広告効果は図１４〜図１６に示すものに比して遜色ない。そして、この場合における塗布表示体３３の塗布方法は、実施例３に述べたものがそのまま適用されるので、説明を省略する。
【実施例４】
【００２９】
図２０は、本発明の実施例４を示す左斜め方向から見た斜視図、図２１は同右斜め方向から見た斜視図、図２２は、同上段に位置するステップのライザと、下段に位置するステップのクリートとの関係を示す横断面図である。すなわち、本発明の実施例４は、クリート５およびライザ６の所定の各突条部７・９の各左側壁面７ａ・９ａと各右側壁面７ｂ・９ｂとに、それぞれ異なった広告等表示４１ａ・４１ｂ(図２３においては、広告等表示が平面的に表示されている)を、前記両側壁面７ａ・７ｂおよび９ａ・９ｂの高さに合せて左右方向に細分割するような形で、複数個の各小表示体４２ａ・４２ｂとして、該複数個の各小表示体４２ａ・４２ｂをペンキ・エナメル等の塗料で塗布表示した２組の塗布表示体４３ａ・４３ｂが形成されている。
【００３０】
前記実施例４におけるクリート５およびライザ６の所定の各突条部７・９の各左側壁面７ａ・９ａおよび各右側壁面７ｂ・９ｂに、それぞれ広告等表示４１ａ・４１ｂの表示内容を左右方向に分割して塗料で塗布表示した塗布表示体４３ａ・４３ｂの作用および効果は、前記実施例２と同一であるので説明を省略する。なお、実施例４においては、塗布表示体４３ａ・４３ｂをクリート５およびライザ６の両方に形成する場合について述べたが、クリート５またはライザ６のいずれかに形成してもよい。そして、この場合における塗布表示体４３ａ・４３ｂの形成方法は、実施例４に述べたものがそのまま適用されるので、説明を省略する。
【実施例５】
【００３１】
図２４は、本発明の実施例５を示す斜視図である。すなわち、実施例５は、図２０に示すように、クリート５およびライザ６の所定の各突条部７・９の表面７ｃ・９ｃに、広告等表示５１(図２５においては、広告等表示が平面的に表示されている)の外周ライン５２を分割して切削加工することにより、前記外周ライン５２部分を凹部５３として切削表示体５４を形成したものである。そして、特に限定する必要はないが、好ましく前記凹部５３にペンキ・エナメル等の塗料で色彩を付けることが推奨される。
【００３２】
前記クリート５およびライザ６の所定の各突条部７・９の表面７ｃ・９ｃに広告等表示５１を分割して切削加工することにより、凹凸表示して切削表示体５４を形成した実施例５においては、下段部のステップ３ｂに乗った人が、上段部に位置するステップ３ａのクリート５およびライザ６を目視した場合、切削表示体５４が分割されているが、前記各突条部７・９間の間隔が狭いので、前記切削表示体５４は連続的な表示として視認でき、該切削表示体５４の表示内容を明確に認識することができる。
【００３３】
また、前記したように、広告等表示５１の表示内容が分割されて視認されるので、下段部のステップ３ｂに乗った人は、前記表示内容が何であるかを確認すべく、興味を持って注視するため、一般の平面的な表示に比して、該切削表示体５４の表示効果（例えば、広告の場合、広告効果）を上げることができる。
【００３４】
なお、実施例５においては、切削表示体５４をクリート５およびライザ６の両方に形成する場合について述べたが、クリート５またはライザ６のいずれかに形成してもよい。そして、この場合における切削表示体５４の形成方法は、実施例５に述べたものがそのまま適用されるので、説明を省略する。
【実施例６】
【００３５】
図２６は、本発明の実施例６を示す右斜め方向から見た斜視図、図２７は、同上段に位置するステップのライザと、下段に位置するステップのクリートとの関係を示す横断面図である。すなわち、本発明の実施例６は、ライザ６にのみ広告等の表示体を備えたものであり、該ライザ６の所定の各突条部９の各両側壁面９ａ・９ｂおよび表面９ｃ用として、１組の広告等表示６１(図２８においては、広告等表示６１が平面的に表示されている)を印刷し、且つ裏面に粘着剤層Ｐを備えたシールＳを、それぞれ１個の突条部９を構成する各両側壁面９ａ・９ｂおよび表面９ｃの横断面合計長さに合わせて左右方向に細分割して、複数枚の小シール片６２として、該各小シール片６２を前記各両側壁面９ａ・９ｂおよび表面９ｃに股がって貼着固定して貼着表示体６３が形成されている。
【００３６】
本発明の実施例６においては、下段部のステップ３ｂに乗った人が、上段部に位置するステップ３ａのライザ６を、正面、左・右方向から目視した場合、貼着表示体６３の表示内容が分割されているが、前記各突条部９間の間隔が狭いので、前記貼着表示体６３は連続的な表示として視認でき、該貼着表示体６３の表示内容を明確に認識することができる。
【００３７】
また、前記したように、実施例６においては、貼着表示体６３を構成する広告等表示６１が細分割されて、複数枚の小シール片６２を前記各両側壁面９ａ・９ｂおよび表面９ｃを被覆するように貼着固定しているため、下段部のステップ３ｂに乗った人は、前記上段部のステップ３ａの広告等表示６１の表示内容が何を表示しているのか、興味を持って、下段部のステップ３ｂに乗っている位置をずらしたりして注視するため、一般の平面的表示に比して、該貼着表示体６３の表示効果（例えば、広告の場合、広告効果）を上げることができる。
【実施例７】
【００３８】
図２９は、本発明の実施例７を示す右斜め方向から見た斜視図、図３０は、同上段に位置するステップのライザと、下段に位置するステップのクリートとの関係を示す横断面図である。すなわち、本発明の実施例７は、実施例６と同様に、ライザ６にのみ広告等の表示体を備えたものであり、該ライザ６の所定の各突条部９の各両側壁面９ａ・９ｂのうち、いずれか一方側の側壁面と表面９ｃ用として、１組の広告等表示７１(図３１においては、広告等表示７１が平面的に表示されている)を印刷し、且つ裏面に粘着剤層Ｐを備えたシールＳを、それぞれ１個の突条部９を構成する各両側壁面９ａ・９ｂのうち、いずれか一方側の側壁面と表面９ｃの横断面合計長さに合わせて左右方向に細分割して、複数枚の小シール片７２として、該各小シール片７２を前記各両側壁面９ａ・９ｂのいずれか一方側の側壁面と、表面９ｃに股がって貼着固定(図２９・図３０においては、右側壁面９ｂと表面９ｃに股がって貼着固定されている)して貼着表示体７３が形成されている。
【００３９】
本発明の実施例７においては、下段部のステップ３ｂに乗った人が、上段部に位置するステップ３ａのライザ６を、正面、または右方向から目視した場合、貼着表示体７３の表示内容が分割されているが、前記各突条部９間の間隔が狭いので、前記貼着表示体７３は連続的な表示として視認でき、該貼着表示体７３の表示内容を明確に認識することができる。
【００４０】
また、前記したように、実施例７においては、貼着表示体７３を構成する広告等表示７１が細分割されて、複数枚の小シール片７２を前記各右側壁面９ｂと表面９ｃとに股がって貼着固定しているため、下段部のステップ３ｂに乗った人は、前記上段部のステップ３ａの広告等表示７１の表示内容が何を表示しているのか、興味を持って、下段部のステップ３ｂに乗っている位置をずらしたりして注視するため、一般の平面的表示に比して、該貼着表示体７３の表示効果（例えば、広告の場合、広告効果）を上げることができる。
【実施例８】
【００４１】
図３２は、本発明の実施例８を示す斜視図である。すなわち、本発明の実施例８は、図３２に示すように、広告等表示８１(図３３においては、広告等表示８１が平面的に表示されている)を印刷し、且つ裏面に粘着剤層Ｐを備えたシールＳを、各突条部９の表面９ｃの巾に合わせて左右方向に細分割して、複数枚の小シール片８２として、該各小シール片８２を前記各突条部９の表面９ｃに貼着固定して貼着表示体８３が形成される。
【００４２】
前記本発明の実施例８においては、下段部のステップ３ｂに乗った人が、上段部に位置するステップ３ａのライザ６を目視した場合、貼着表示体８３の表示内容が分割されているが、前記各突条部９間の間隔が狭いので、前記貼着表示体８３は連続的な表示として視認でき、該貼着表示体８３の表示内容を明確に認識することができる。
【実施例９】
【００４３】
図３４は、本発明の実施例９を示す右斜め方向から見た斜視図、図３５は、同上段に位置するステップのライザと、下段に位置するステップのクリートとの関係を示す横断面図である。すなわち、本発明の実施例９は、実施例６と同様に、ライザ６にのみ広告等の表示体を備えたものであり、該ライザ６の所定の各突条部９の各両側壁面９ａ・９ｂおよび表面９ｃにおいて、広告等表示９１(図３６においては、広告等表示９１が平面的に表示されている)を、それぞれ１個の突条部９を構成する各両側壁面９ａ・９ｂおよび表面９ｃの横断面合計長さに合わせて左右方向に細分割するような形で、複数個の小表示体９２として、該複数個の小表示体９２を、ペンキ・エナメル等の塗料で前記各両側壁面９ａ・９ｂおよび表面９ｃに股がって塗布表示して塗布表示体９３が形成されている。
【００４４】
本発明の実施例９においては、下段部のステップ３ｂに乗った人が、上段部に位置するステップ３ａのライザ６を、正面、左・右方向から目視した場合、塗布表示体９３の表示内容が分割されているが、前記各突条部９間の間隔が狭いので、前記塗布表示体９３は連続的な表示として視認でき、該塗布表示体９３の表示内容を明確に認識することができる。
【００４５】
また、前記したように、実施例９においては、塗布表示体９３を構成する広告等表示９１が細分割されて、複数個の小表示体９２を前記各両側壁面９ａ・９ｂおよび表面９ｃに股がって塗布表示しているため、下段部のステップ３ｂに乗った人は、前記上段部のステップ３ａの広告等表示９１の表示内容が何を表示しているのか、興味を持って、下段部のステップ３ｂに乗っている位置をずらしたりして注視するため、一般の平面的表示に比して、該塗布表示体９３の表示効果（例えば、広告の場合、広告効果）を上げることができる。
【実施例１０】
【００４６】
図３７は、本発明の実施例１０を示す右斜め方向から見た斜視図、図３８は、同上段に位置するステップのライザと、下段に位置するステップのクリートとの関係を示す横断面図である。すなわち、本発明の実施例１０は、実施例６と同様に、ライザ６にのみ広告等の表示体を備えたものであり、該ライザ６の所定の各突条部９の各両側壁面９ａ・９ｂのうち、いずれか一方側の側壁面と表面９ｃにおいて、広告等表示１０１(図３９においては、広告等表示１０１が平面的に表示されている)を、それぞれ１個の突条部９を構成する各両側壁面９ａ・９ｂのうち、いずれか一方側の側壁面と表面９ｃの横断面合計長さに合わせて左右方向に細分割するような形で、複数個の小表示体１０２として、該複数個の小表示体１０２を、ペンキ・エナメル等の塗料で前記各両側壁面９ａ・９ｂのうち、いずれか一方側の側壁面と表面９ｃに股がって塗布表示(図３７・図３８においては、右側壁面９ｂと表面９ｃに股がって塗布表示されている)して塗布表示体１０３が形成されている。
【００４７】
本発明の実施例１０においては、下段部のステップ３ｂに乗った人が、上段部に位置するステップ３ａのライザ６を、正面、または右方向から目視した場合、塗布表示体１０３の表示内容が分割されているが、前記各突条部９間の間隔が狭いので、前記塗布表示体１０３は連続的な表示として視認でき、該塗布表示体１０３の表示内容を明確に認識することができる。
【００４８】
また、前記したように、実施例１０においては、塗布表示体１０３を構成する広告等表示１０１が細分割されて、複数個の小表示体１０２を前記各右側壁面９ｂと表面９ｃとに股がって塗布表示されているため、下段部のステップ３ｂに乗った人は、前記上段部のステップ３ａの広告等表示１０１の表示内容が何を表示しているのか、興味を持って、下段部のステップ３ｂに乗っている位置をずらしたりして注視するため、一般の平面的表示に比して、該塗布表示体１０３の表示効果（例えば、広告の場合、広告効果）を上げることができる。
【実施例１１】
【００４９】
図４０は、本発明の実施例１１を示す右斜め方向から見た斜視図である。すなわち、本発明の実施例１１は、図４０に示すように、広告等表示１１１(図４１においては、広告等表示１１１が平面的に表示されている)を、各突条部９の表面９ｃの巾に合わせて左右方向に細分割して、複数個の小表示体１１２として、該各複数個の小表示体１１２を前記各突条部９の表面９ｃに塗料で塗布表示して塗布表示体１１３が形成される。
【００５０】
前記本発明の実施例１１においては、下段部のステップ３ｂに乗った人が、上段部に位置するステップ３ａのライザ６を目視した場合、塗布表示体１１３の表示内容が分割されているが、前記各突条部９間の間隔が狭いので、前記塗布表示体１１３は連続的な表示として視認でき、該塗布表示体１１３の表示内容を明確に認識することができる。
【図面の簡単な説明】
【００５１】
【図１】本発明広告等の表示体を備えることができるエスカレータの上方部の乗降口を示した要部の斜視図である。
【図２】同上段のステップを構成するライザと、下段のステップを構成するクリートとの関係を示す横断面図である。
【図３】同上段のステップを構成するクリートと、コムとの関係を示す横断面図である。
【図４】本発明広告等の表示体を備えたエスカレータの実施例１を示す左斜め方向から見た斜視図である。
【図５】本発明広告等の表示体を備えたエスカレータの実施例１を示す右斜め方向から見た斜視図である。
【図６】本発明広告等の表示体を備えたエスカレータの実施例１における上段に位置するステップのライザと、下段に位置するステップのクリートとの関係を示す横断面図である。
【図７】本発明広告等の表示体を備えたエスカレータの実施例１における広告等表示を平面的に表示した斜視図である。
【図８】本発明広告等の表示体を備えたエスカレータの実施例１の変形を示す左斜め方向から見た斜視図である。
【図９】本発明広告等の表示体を備えたエスカレータの実施例１の変形における上段に位置するステップのライザと、下段に位置するステップのクリートとの関係を示す横断面図である。
【図１０】本発明広告等の表示体を備えたエスカレータの実施例２を示す左斜め方向から見た斜視図である。
【図１１】本発明広告等の表示体を備えたエスカレータの実施例２を示す右斜め方向から見た斜視図である。
【図１２】本発明広告等の表示体を備えたエスカレータの実施例２における上段に位置するステップのライザと、下段に位置するステップのクリートとの関係を示す横断面図である。
【図１３】本発明広告等の表示体を備えたエスカレータの実施例２における広告等表示を平面的に表示した斜視図である。
【図１４】本発明広告等の表示体を備えたエスカレータの実施例３を示す左斜め方向から見た斜視図である。
【図１５】本発明広告等の表示体を備えたエスカレータの実施例３を示す右斜め方向から見た斜視図である。
【図１６】本発明広告等の表示体を備えたエスカレータの実施例３における上段に位置するステップのライザと、下段に位置するステップのクリートとの関係を示す横断面図である。
【図１７】本発明広告等の表示体を備えたエスカレータの実施例３における広告等表示を平面的に表示した平面図である。
【図１８】本発明広告等の表示体を備えたエスカレータの実施例３の変形を示す左斜め方向から見た斜視図である。
【図１９】本発明広告等の表示体を備えたエスカレータの実施例３の変形における上段に位置するステップのライザと、下段に位置するステップのクリートとの関係を示す横断面図である。
【図２０】本発明広告等の表示体を備えたエスカレータの実施例４を示す左斜め方向から見た斜視図である。
【図２１】本発明広告等の表示体を備えたエスカレータの実施例４を示す右斜め方向から見た斜視図である。
【図２２】本発明広告等の表示体を備えたエスカレータの実施例４における上段に位置するステップのライザと、下段に位置するステップのクリートとの関係を示す横断面図である。
【図２３】本発明広告等の表示体を備えたエスカレータの実施例４における広告等表示を平面的に表示した平面図である。
【図２４】本発明広告等の表示体を備えたエスカレータの実施例５を示す斜視図である。
【図２５】本発明広告等の表示体を備えたエスカレータの実施例５における広告等表示を平面的に表示した平面図である。
【図２６】本発明広告等の表示体を備えたエスカレータの実施例６を示す右斜め方向から見た斜視図である。
【図２７】本発明広告等の表示体を備えたエスカレータの実施例６における上段に位置するステップのライザと、下段に位置するステップのクリートとの関係を示す横断面図である。
【図２８】本発明広告等の表示体を備えたエスカレータの実施例６における広告等表示を平面的に表示した斜視図である。
【図２９】本発明広告等の表示体を備えたエスカレータの実施例７を示す右斜め方向から見た斜視図である。
【図３０】本発明広告等の表示体を備えたエスカレータの実施例７における上段に位置するステップのライザと、下段に位置するステップのクリートとの関係を示す横断面図である。
【図３１】本発明広告等の表示体を備えたエスカレータの実施例７における広告等表示を平面的に表示した斜視図である。
【図３２】本発明広告等の表示体を備えたエスカレータの実施例８を示す斜視図である。
【図３３】本発明広告等の表示体を備えたエスカレータの実施例８における広告等表示を平面的に表示した斜視図である。
【図３４】本発明広告等の表示体を備えたエスカレータの実施例９を示す右斜め方向から見た斜視図である。
【図３５】本発明広告等の表示体を備えたエスカレータの実施例９における上段に位置するステップのライザと、下段に位置するステップのクリートとの関係を示す横断面図である。
【図３６】本発明広告等の表示体を備えたエスカレータの実施例９における広告等表示を平面的に表示した平面図である。
【図３７】本発明広告等の表示体を備えたエスカレータの実施例１０を示す斜視図である。
【図３８】本発明広告等の表示体を備えたエスカレータの実施例１０における上段に位置するステップのライザと、下段に位置するステップのクリートとの関係を示す横断面図である。
【図３９】本発明広告等の表示体を備えたエスカレータの実施例１０における広告等表示を平面的に表示した平面図である。
【図４０】本発明広告等の表示体を備えたエスカレータの実施例１１を示す斜視図である。
【図４１】本発明広告等の表示体を備えたエスカレータの実施例１１における広告等表示を平面的に表示した平面図である。
【符号の説明】
【００５２】
１  エスカレータ
５  クリート
６  ライザ
７  突条部
７ａ・７ｂ  側壁面
７ｃ  表面
９  突条部
９ａ・９ｂ  側壁面
９ｃ  表面
１５  広告等表示
１６  小シール片
１７  貼着表示体
２１ａ・２１ｂ  広告等表示
２２ａ・２２ｂ  小シール片
２３ａ・２３ｂ  貼着表示体
３２  小表示体
３３  塗布表示体
４１ａ・４１ｂ  広告等表示
４３ａ・４３ｂ  塗布表示体
５１  広告等表示
５４  切削表示体
６１  広告等表示
６２  小シール片
６３  貼着表示体
７１  広告等表示
７２  小シール片
７３  貼着表示体
８１  広告等表示
８２  小シール片
８３  貼着表示体
９１  広告等表示
９２  小表示体
９３  塗布表示体
１０１  広告等表示
１０２  小表示体
１０３  塗布表示体
１１１  広告等表示
１１２  小表示体
１１３  塗布表示体
【図１】
2006056667.tif 000003
【図２】
2006056667.tif 000004
【図３】
2006056667.tif 000005
【図４】
2006056667.tif 000006
【図５】
2006056667.tif 000007
【図６】
2006056667.tif 000008
【図７】
2006056667.tif 000009
【図８】
2006056667.tif 000010
【図９】
2006056667.tif 000011
【図１０】
2006056667.tif 000012
【図１１】
2006056667.tif 000013
【図１２】
2006056667.tif 000014
【図１３】
2006056667.tif 000015
【図１４】
2006056667.tif 000016
【図１５】
2006056667.tif 000017
【図１６】
2006056667.tif 000018
【図１７】
2006056667.tif 000019
【図１８】
2006056667.tif 000020
【図１９】
2006056667.tif 000021
【図２０】
2006056667.tif 000022
【図２１】
2006056667.tif 000023
【図２２】
2006056667.tif 000024
【図２３】
2006056667.tif 000025
【図２４】
2006056667.tif 000026
【図２５】
2006056667.tif 000027
【図２６】
2006056667.tif 000028
【図２７】
2006056667.tif 000029
【図２８】
2006056667.tif 000030
【図２９】
2006056667.tif 000031
【図３０】
2006056667.tif 000032
【図３１】
2006056667.tif 000033
【図３２】
2006056667.tif 000034
【図３３】
2006056667.tif 000035
【図３４】
2006056667.tif 000036
【図３５】
2006056667.tif 000037
【図３６】
2006056667.tif 000038
【図３７】
2006056667.tif 000039
【図３８】
2006056667.tif 000040
【図３９】
2006056667.tif 000041
【図４０】
2006056667.tif 000042
【図４１】
2006056667.tif 000043
【手続補正書】
【提出日】平成16年9月17日(2004.9.17)
【手続補正１】
【補正対象書類名】明細書
【補正対象項目名】００２８
【補正方法】変更
【補正の内容】
【００２８】
前記所定の各突条部７・９のいずれか一方側の各側壁面に塗布表示体３３を形成した場合、下段部のステップ３ｂに乗った人は、他方側斜め方向からは上段部のステップ３ａの塗布表示体３３を視認することができない。しかしながら、下段部のステップ３ｂに乗った人は、一方側からは見えるのに対し、他方側からは見えないとして、逆に興味をそそられて、前記上段部のステップ３ａの塗布表示体３３を凝視するので、広告効果は図１４〜図１６に示すものに比して遜色ない。そして、この場合における塗布表示体３３の塗布方法は、実施例３に述べたものがそのまま適用されるので、説明を省略する。